(57)【要約】【課題】環線系統内の端末装置の増減があった場合に、ハードウェア機能を容易に変更することができる環線系統保護継電器システムを提供する。【解決手段】多重分離部およびＨＤＬＣ部（送信回路２１、多重設定回路２２、受信回路２３1〜２３10、分離設定回路２４1〜２４10）を前記中央保護継電装置と端末装置で共通化し、保護対象の環線系統の構成における、電力系統の並び順による系統位置番号、端末装置の設置順による装置固有番号、通信線の並び順による伝送路位置番号および需要家名称による端末名称の対応が変更可能に設定された設定テーブルと、前記設定テーブルを参照して、系統位置番号に対応する端末名称と、系統位置番号に対応する装置固有番号と、伝送路位置番号に対応する装置固有番号を設定し、前記端末装置の増減にともなって、前記装置固有番号に対応する系統位置番号を変更して設定するＨＤＬＣ部の処理装置と、を備えた。【選択図】図２
2014176185.tif 000002
【特許請求の範囲】
【請求項１】
中央保護継電装置と環線系統に設けられた複数の端末装置間で情報を多重伝送する環線系統保護継電器システムであって、
多重分離部およびＨＤＬＣ（Ｈｉｇｈ−ｌｅｖｅｌ  Ｄａｔａ  Ｌｉｎｋ  Ｃｏｎｔｒｏｌ）部を前記中央保護継電装置と端末装置で共通化し、
保護対象の環線系統の構成における、電力系統の並び順による系統位置番号、端末装置の設置順による装置固有番号、通信線の並び順による伝送路位置番号および需要家名称による端末名称の対応が変更可能に設定された設定テーブルと、
前記設定テーブルを参照して、系統位置番号に対応する端末名称と、系統位置番号に対応する装置固有番号と、伝送路位置番号に対応する装置固有番号とを設定し、前記端末装置の増減にともなって、前記装置固有番号に対応する系統位置番号を変更して設定するＨＤＬＣ部の処理装置と、
を備えたことを特徴とする環線系統保護継電器システム。
【請求項２】
前記中央保護継電装置における、前記端末装置の伝送部とリレー部の表示機構をＷＥＢＨＩの表示方式に統一し、該ＷＥＢＨＩ上に、伝送状態を表示するときは伝送路位置番号順に割り当てられた伝送部を第１の呼称を用いて表示し、伝送状態以外を表示するときは系統位置番号順に割り当てられた端末装置を第２の呼称を用いて表示することを特徴とする請求項１に記載の環線系統保護継電器システム。
【請求項３】
前記端末装置の伝送部で伝送異常が発生したときは、当該異常発生伝送部をＷＥＢＨＩ上に前記第１の呼称を用いて表示し、前記端末装置のリレー部で異常が発生したときは、当該異常発生端末装置をリレー制御パネル上に前記第２の呼称を用いて表示することを特徴とする請求項２に記載の環線系統保護継電器システム。
【発明の詳細な説明】
【技術分野】
【０００１】
本発明は、環線系統を保護する環線系統保護継電器システムに関する。
【背景技術】
【０００２】
従来、環線系統を保護するための装置は、中央保護継電装置、中央通信装置、端末装置により構成されていた。
【０００３】
また、保守が、通信保守区分と変電保守区分と分離していたため、中央側の装置は中央保護継電装置、中央通信装置と別盤となり、端末においては、伝送部、リレー部と分離した構成をとっていた。
【０００４】
端末の電流情報は、端末リレー部でＡ／Ｄ変換され、伝送部を介してループ部状の光伝送路で中央通信装置に伝達され、中央通信装置から継電装置へ個別のリレー上り情報として、光ファイバで接続されていた。
【０００５】
このような構成下において、端末装置は、環線上の電力系統順に配置される。また、光のループ伝送路は、電力系統順ではなく、別のルート配線を取ることがあるため、伝送位置順に伝送路の管理がされることになる。
【０００６】
また端末装置は、全て、構造的には同一のものとして設計可能であるが、配置位置によって情報が管理されなくてはならない。
【０００７】
尚、従来のディジタル保護継電システムの多重情報伝送処理装置としては、例えば特許文献１に記載のものが提案されていた。
【先行技術文献】
【特許文献】
【０００８】
【特許文献１】特許第２６８９５０８号公報
【発明の概要】
【発明が解決しようとする課題】
【０００９】
特許文献１に記載のシステムの課題として、次のような問題点があった。すなわち、伝送路構成や系統位置順構成は端末増設により変わる。このとき、それまでの既設の設備構成をできるだけ少なく、設備更新ができる手法が望まれる。
【００１０】
これについて従来は、下記のような変更設定を行なってきた。  
【００１１】
系統位置Ｎｏ．→電力線の接続ルートの並び順
伝送位置Ｎｏ．→通信光ケーブルの接続ルートの並び順
装置固有Ｎｏ．→端末を設置した順番、
中央継電装置のリレー部の設定→装置Ｎｏ．の設定。
【００１２】
端末装置は全て同一の装置であるので、設定で属性を変えることが必要である。つまり、端末装置の伝送部の設定→伝送上の多重する情報（例えば上り情報端末□）スロット番号をハードウェア（基板の短絡片）による設定を実施。リレー部の装置Ｎｏ．と同じ番号で設定（メーカ設定）。
【００１３】
端末装置のリレー部の設定→装置Ｎｏ．の設定等である。
【００１４】
ループリレーでは図１５に示すように、電力線と通信線が同一ルートとならない場合がある。
【００１５】
図１５は電力系統と伝送路の構成の一例を示し、環線系統の各端末１〜端末４の電流情報は端末リレー部でＡ／Ｄ変換され伝送部を介してループ状の光ケーブル等の通信線を介して中央継電装置１００に伝送される。
【００１６】
図１５の構成における系統位置番号、伝送路位置番号、端末装置の装置固有番号の設定は表１のようになる。
【００１７】
【表１】
2014176185.tif 000003
【００１８】
表１に示すように伝送路位置番号と系統位置番号が異なっている場合、伝送路位置、系統位置および端末装置の位置関係を認識することができない。
【００１９】
また、環線系統内の端末装置の増減があった場合、従来のシステムでは、中央通信装置と中央継電装置間の局内光ファイバの接続を変更する必要があり、ハードウェア機能の変更が容易ではなかった。
【００２０】
本発明は上記課題を解決するものであり、その目的は、環線系統内の端末装置の増減があった場合に、ハードウェア機能を容易に変更することができる環線系統保護継電器システムを提供することにある。
【課題を解決するための手段】
【００２１】
上記課題を解決するための請求項１に記載の環線系統保護継電器システムは、中央保護継電装置と環線系統に設けられた複数の端末装置間で情報を多重伝送する環線系統保護継電器システムであって、多重分離部およびＨＤＬＣ（Ｈｉｇｈ−ｌｅｖｅｌ  Ｄａｔａ  Ｌｉｎｋ  Ｃｏｎｔｒｏｌ）部を前記中央保護継電装置と端末装置で共通化し、保護対象の環線系統の構成における、電力系統の並び順による系統位置番号、端末装置の設置順による装置固有番号、通信線の並び順による伝送路位置番号および需要家名称による端末名称の対応が変更可能に設定された設定テーブルと、前記設定テーブルを参照して、系統位置番号に対応する端末名称と、系統位置番号に対応する装置固有番号と、伝送路位置番号に対応する装置固有番号とを設定し、前記端末装置の増減にともなって、前記装置固有番号に対応する系統位置番号を変更して設定するＨＤＬＣ部の処理装置と、を備えたことを特徴としている。
【００２２】
上記構成によれば、環線系統内の端末装置の増減があった場合に、ハードウェア機能を容易に変更することができる。
【００２３】
また請求項２に記載の環線系統保護継電器システムは、請求項１において、前記中央保護継電装置における、前記端末装置の伝送部とリレー部の表示機構をＷＥＢＨＩの表示方式に統一し、該ＷＥＢＨＩ上に、伝送状態を表示するときは伝送路位置番号順に割り当てられた伝送部を第１の呼称を用いて表示し、伝送状態以外を表示するときは系統位置番号順に割り当てられた端末装置を第２の呼称を用いて表示することを特徴としている。
【００２４】
上記構成によれば、端末装置の伝送部とリレー部の呼称が統一して管理されるので、端末装置の増減時の系統位置番号、伝送路位置番号、装置固有番号の設定が容易となる。
【００２５】
また請求項３に記載の環線系統保護継電器システムは、請求項２において、前記端末装置の伝送部で伝送異常が発生したときは、当該異常発生伝送部をＷＥＢＨＩ上に前記第１の呼称を用いて表示し、前記端末装置のリレー部で異常が発生したときは、当該異常発生端末装置をリレー制御パネル上に前記第２の呼称を用いて表示することを特徴としている。
【００２６】
上記構成によれば、従来リレー部と伝送部で別々の表示機構であった装置異常の表示方式が統一される。
【発明の効果】
【００２７】
（１）請求項１〜３に記載の発明によれば、環線系統内の端末装置の増減があった場合に、ハードウェア機能を容易に変更することができる。
（２）請求項２に記載の発明によれば、端末装置の伝送部とリレー部の呼称が統一して管理されるので、端末装置の増減時の系統位置番号、伝送路位置番号、装置固有番号の設定が容易となる。
（３）請求項３に記載の発明によれば、従来リレー部と伝送部で別々の表示機構であった装置異常の表示方式が統一される。
【図面の簡単な説明】
【００２８】
【図１】本発明の実施形態例の多重分離ロジックＩＣの構成図。
【図２】本発明の実施形態例の多重分離ロジックＩＣの要部構成図。
【図３】本発明の実施例１におけるＨＩ伝送状態画面の説明図。
【図４】本発明の実施例１における運用状態画面の説明図。
【図５】本発明の実施例２における４３Ｔ制御パネルでのリレー部異常表示の画面を示す説明図。
【図６】本発明の実施例２、３におけるＨＩ伝送状態画面での伝送路異常表示と端末名称表示の様子を示す説明図。
【図７】本発明の実施例４における端末名称設定画面の説明図。
【図８】本発明の実施例４における装置固有Ｎｏ．設定画面（系統位置）の説明図。
【図９】本発明の実施例４における装置固有Ｎｏ．設定画面（伝送路位置）の説明図。
【図１０】中央保護継電装置が保護対象とする環線系統を表し、（ａ）は端末増設前の構成図、（ｂ）は端末増設後の構成図。
【図１１】本発明の実施例５における、中央保護継電装置への上り情報の入力先を表し、（ａ）は端末増設前の構成における説明図、（ｂ）は端末増設後の構成における説明図。
【図１２】本発明の実施例５における、メインＣＰＵとＨＤＬＣと多重分離部の接続状態を示す構成図。
【図１３】本発明の実施例５におけるＨＤＬＣ系統位置番号順入れ替えの説明図。
【図１４】本発明の実施例５における端末増設時のＨＤＬＣ系統位置番号順入れ替えの説明図。
【図１５】本発明が適用される電力系統と伝送路を示す構成図。
【発明を実施するための形態】
【００２９】
以下、図面を参照しながら本発明の実施の形態を説明するが、本発明は下記の実施形態例に限定されるものではない。本発明では、環線系統保護継電装置において、中央保護継電装置と端末装置における多重分離、ＨＤＬＣのハードウェアを共通化し、装置固有の機能の差異を、設定された装置固有番号により、多重分離条件となる多重分離選択回路により自動的に多重回路、分離回路が構成される回路を搭載し、前記装置固有の機能の差異をハードウェアと設定により吸収した環線系統保護継電器システムを構築するものである。
【００３０】
まず、多重分離部およびＨＤＬＣ部を中央保護継電装置と端末装置で共通化する構成について説明する。
【００３１】
図１は、本発明における、中央保護継電装置と端末装置で共通に使用される多重分離部およびＨＤＬＣ（Ｈｉｇｈ−ｌｅｖｅｌ  Ｄａｔａ  Ｌｉｎｋ  Ｃｏｎｔｒｏｌ）部としての多重分離ロジックＩＣ２００の構成を示している。
【００３２】
尚図１では環線系統内の端末装置数が５の場合を想定している。
【００３３】
図１において、１、２は１系受信インターフェース、２系受信インターフェースであり、光／電変換器から成る。３は１系受信インターフェース１又は２系受信インターフェース２からの電気信号を選択する受信回線選択回路であり、４は各個別の情報を分離する受信タイミング回路である。
【００３４】
５はループリレーのリレー側が使用するＨＤＬＣコントローラ６（ＨＤＬＣ  ＲＸ１〜ＲＸ１０）と接続するＨＤＬＣ分離インターフェース（１２ｃｈ−ＨＤＬＣ−ＩＮＦ）、７はＢ−分離インターフェースである。
【００３５】
８はクロック選択回路、９は送信タイミングを生成する送信タイミング回路、１０はフレーム作成回路である。１１はループリレーのリレー側が使用するＨＤＬＣコントローラ１２（ＨＤＬＣ  ＴＸ１）と接続するＨＤＬＣ多重インターフェース（１２ｃｈ−ＨＤＬＣ−ＩＮＦ）であり、１３はＢ−多重インターフェースである。
【００３６】
１４，１５は送信信号を生成する１系送信選択回路、２系送信選択回路である。１６，１７は１系送信インターフェース、２系送信インターフェースであり、電／光変換器から成る。
【００３７】
多重に対しては、受信クロックまたは、分離について、ループリレーの例ではＨＤＬＣコントローラ６における１０ｃｈのＨＤＬＣ回線は、ビット同期型の回線でＳ／Ｐ，Ｐ／Ｓ変換により速度変換を行ってインターフェースする。
【００３８】
中央継電装置は、親局動作をする場合、クロック選択回路８で水晶発信器が選択され、送信タイミング回路９で送信タイミングが生成される。フレーム作成回路１０でフレームを作成し、１系送信選択回路１４、２系送信選択回路１５で送信信号を生成する。各送信回路でマルチプレクサされた信号は、１系送信ＩＮＦ１６、２系送信ＩＮＦ１７によって信号を光に変換して送信していく。ＨＤＬＣ多重インターフェース１１によって各個別の情報を多重する機能を備える。
【００３９】
図２は、図１の多重分離ロジックＩＣ２００内のＨＤＬＣ分離インターフェース５、ＨＤＬＣコントローラ６、ＨＤＬＣ多重インターフェース１１およびＨＤＬＣコントローラ１２の構成を示している。図２において、個別情報である多重分離の回線は、２１に示す送信回路１回路（ＴＸ１）とその回線を多重する設定回路２２で構成される。中央保護継電装置の場合は、ＣＨ３，ＣＨ４同一情報を２回線に設定（従来の２系列対応互換性維持のため）する。
【００４０】
受信回路は１０回路あるので、受信回路２３1〜２３10（ＲＸ１〜ＲＸ１０）と、どの回線から分離するかを設定するＲＸ１〜ＲＸ１０用の分離設定回路２４1〜２４10とを備えている。
【００４１】
端末装置での設定では、１つの送信回路２１（ＴＸ１）とその回線を多重する設定回路２２で構成するが、端末装置の場合は、上り情報１〜１０まで設定されることになるので、端末装置の場合は、後述する設定テーブルを用いて設定した装置固有番号順にＣＨ７（リレー上り１）から設定して、最大１０端末分、ＣＨ１６（リレー上り１０）までを設定可能とする。
【００４２】
受信回路は、２つの受信回路２３1，２３2（ＲＸ１，ＲＸ２）とどの回線から分離するかを設定するＲＸ１用の分離設定回路２４1、ＲＸ２用の分離設定回路２４2を使用する。
【００４３】
これらの回路は中央保護継電装置でも端末装置でも共通に使用するので、上り、下りの情報の使い分けはソフト設定で切り替わる回路とする。これにより、同一ハードウェアでありながら、端末では送信回路１回路（２１）、受信回路２回路（２３1，２３2）を使用し、中央保護継電装置では送信回路１回路（２１）、受信回路１０回路（２３1〜２３10）を使用することができる。
【実施例１】
【００４４】
本実施例１では、これまで別の表示機構であった伝送部とリレー部の表示をＷＥＢＨＩの表示方式に統一する。すなわち、伝送部の呼称を伝送ＲＳ□（第１の呼称）、リレー部の呼称を端末△（第２の呼称）と統一して管理することとし、伝送部とリレー部を一体化することで一元管理できる方式とした。端末装置の呼称について、中央保護継電装置におけるＨＩ伝送状態画面は伝送系の表示であるため「伝送ＲＳ□」とし、伝送状態以外の画面はリレーの表示のため「端末△」と名称を統一する（□：１〜１０、△：１〜９，Ｔ分岐）。
【００４５】
但し、前記表１に示した順序付けの関係から、系統位置番号順や伝送位置番号順は、統一的な名称とする。すなわち、図２は、ＨＩ伝送状態画面において表示される伝送位置番号順を示し、伝送路名称は「中央、伝送ＲＳ□」となる。また図３は、運用状態画面において、表示される系統位置番号順を示し、装置名称は「端末△」となる。
【００４６】
図２、図３では、伝送位置Ｎｏ．と表現しているが、伝送位置番号と同意義である。同様に系統位置Ｎｏ．も系統位置番号と同意義である。
【００４７】
上記のように本実施例１によれば、リレー部の呼称、伝送部の呼称を各々統一管理しているため、伝送部とリレー部が一体化され一元管理が可能となる。
【実施例２】
【００４８】
本実施例２では、これまで別の表示機構であった装置異常の表示方式を統一する。すなわち、リレー部の異常は４３Ｔ制御パネル（端末側遮断器開閉スイッチパネル）に端末△として表示し、伝送部の異常は、ＷＥＢＨＩ上に伝送ＲＳ□として表示することとした。
【００４９】
尚、Ｗｏｒｌｄ  Ｗｉｄｅ  Ｗｅｂ（ワールド  ワイド  ウェブ、略名：ＷＷＷ）技術で公開されたサイトをワールドワイド・ウェブ・サイトと言い、そのサイトを参照するインタフェースをＷＥＢＨＩと称している。
【００５０】
例えば、端末２でリレー部の異常が発生した場合、４３Ｔ制御パネルの表示内容を示す図５の（１）の端末異常「端末２」の赤ＬＥＤを点灯させる。また、端末２（伝送ＲＳ１）で異常が発生した場合、図６に示すＨＩ伝送状態画面の伝送異常部位は図示（２）の「伝送ＲＳ１」を赤点灯させる
上記のように本実施例２によれば、リレー部と伝送部の装置異常の表示方式が統一され、一元管理が可能となる。
【実施例３】
【００５１】
本実施例３では、ＷＥＢＨＩ上に、端末名称を表示する仕組みを取り入れた。すなわち、誤った判断を行なわないように、図６の中央継電装置のＨＩ状態画面に図示（３）に示すように「端末名称」の表示を追加する。
【００５２】
装置異常表示画面においても、前記表１に示した関係から系統位置番号順や伝送位置番号順は、統一的な名称とする。すなわち、図５は、４３Ｔ制御パネルにおいて表示される系統位置番号順を示し、装置名称は「中央、端末△」となる。また図６は、ＨＩ伝送状態画面において、表示される伝送位置番号順の需要家名称（端末名称）を示し、伝送路名称は「伝送ＲＳ□」となる。
【００５３】
本実施例３によれば、需要家名称による端末固有名称を表示することで、判断の誤りがなくなるとともに、保守性が向上する。
【実施例４】
【００５４】
本実施例４では、端末装置の系統位置、伝送路位置、装置固有番号および端末名称の設定テーブルによる管理を実施した。すなわち、例えば図１５の系統図より次の表２に示すように、「系統位置Ｎｏ．（番号）」、「端末名称」、装置の設置した順（番号）による「装置固有Ｎｏ．（番号）」、光ケーブルの並び順による「伝送路位置Ｎｏ．（番号）」を決定する。
【００５５】
【表２】
2014176185.tif 000004
【００５６】
まず、表２より「系統位置Ｎｏ．」に対応する「端末名称」を、中央保護継電装置のＷＥＢＨＩ上に表示する図７の端末名称設定画面で設定する。
【００５７】
次に、表２より「系統位置Ｎｏ．」に対応する「装置固有Ｎｏ．」を、図８の装置固有Ｎｏ．設定画面（系統位置）で設定する。
【００５８】
さらに、表２より「伝送路位置Ｎｏ．」に対応する「装置固有Ｎｏ．」を、図９に示す装置固有Ｎｏ．設定画面（伝送路位置）で設定する。
【００５９】
上記のように、保護対象の環線系統の構成における、電力系統の並び順による系統位置番号、端末装置の設置順による装置固有番号、通信線の並び順による伝送路位置番号および需要家名称による端末名称の対応を設定してテーブル化することによって、中央保護継電装置では上記のように設定した装置固有番号より、伝送路位置と系統位置の関係を認識することができる。
【００６０】
このため、伝送路位置番号と系統位置番号が図１５のように異なっていた場合でも、伝送状態画面（図６）には伝送路位置番号順に装置固有番号と端末名称が管理され、端末装置の位置関係を特定できる。
【００６１】
リレーに関しては、４３Ｔ制御パネル（図５）のように系統位置番号順に装置が配置されているので、端末装置の位置関係を特定できる。
【実施例５】
【００６２】
本実施例５では、系統位置Ｎｏ．と装置固有Ｎｏ．のデータ入れ替え方式によってハードウェア機能の変更を可能とした。例えば、６６ｋＶループリレーでは出荷端末順に装置固有Ｎｏ．を設定している。その端末増設により端末が追加された例を図１０に示す。
【００６３】
図１０（ａ）は端末増設前の構成を示し、前記図１５と同一であり、系統位置Ｎｏ，伝送路位置Ｎｏ．，装置固定Ｎｏ．の設定は表３（実質的に表１と同一）となる。
【００６４】
図１０（ｂ）は端末５の増設により装置固有Ｎｏ．５が系統位置Ｎｏ．３の位置に割り込んだ構成を示し、系統位置Ｎｏ，伝送路位置Ｎｏ．，装置固定Ｎｏ．の設定は表４となる。
【００６５】
【表３】
2014176185.tif 000005
【００６６】
【表４】
2014176185.tif 000006
【００６７】
また、図１０（ａ）の端末増設前の構成に対応する、各装置固有Ｎｏ，が取り扱う上り情報の、中央保護継電装置側の光受信インターフェース（ＲＸ１〜ＲＸ１０）への入力先は図１１（ａ）のように示され、図１０（ｂ）の端末増設後の構成に対応する、各装置固有Ｎｏ，が取り扱う上り情報の、中央保護継電装置側の光受信インターフェース（ＲＸ１〜ＲＸ１０）への入力先は図１１（ｂ）のように示される。
【００６８】
これら表３、表４、図１０、図１１において、後から装置固有Ｎｏ．５が系統位置Ｎｏ．３の位置に割り込んだ場合、それまで装置固有Ｎｏ．３の取り扱っていた上り情報は、系統位置Ｎｏ．に応じて中央継電装置の光受信インターフェースＲＸ３からＲＸ４に入れ替える処理を行なう。
【００６９】
同様に、装置固有Ｎｏ．４の取り扱っていた上り情報は、ＲＸ４からＲＸ５に入れ替え、新たに設けた装置固有Ｎｏ．５の情報は、ＴＸ５からＲＸ３に入力する。従来装置では、この入れ替えを、中央通信装置と中央保護継電装置間の局内光ファイバ処理で実施していた。
【００７０】
本発明では、これをソフトウェア処理による入れ替えで対応する。図１２は、本実施例５における中央保護継電装置のメインＣＰＵとＨＤＬＣと多重分離部の接続の様子を示している。
【００７１】
図１２において、３１は中央保護継電装置のメインＣＰＵ、３２はＨＤＬＣ−ＣＰＵ（ＨＤＬＣ部の処理装置）、３３は、前記図１のＨＤＬＣ分離インターフェース５、ＨＤＬＣコントローラ６、ＨＤＬＣ多重インターフェース１１およびＨＤＬＣコントローラ１２（図２の構成）から成る多重分離部である。
【００７２】
図中、ＡはメインＣＰＵ３１とＨＤＬＣ−ＣＰＵ３２間の内部バス、ＢはＨＤＬＣ−ＣＰＵ３２と多重分離部３３間のインターフェース、Ｃは多重分離部３３と図示省略の各端末間の光インターフェースを各々示している。
【００７３】
多重分離部３３のＨＤＬＣ個別情報は、図１２のようにＨＤＬＣ−ＣＰＵ３２と接続される。従来、リレー部と伝送部の間で光ファイバの接続変更により系統位置番号順に電流情報が整列されるようにしていたが、本発明では、ＨＤＬＣ−ＣＰＵ３２内で論理的に回線の入れ替えを実施した。
【００７４】
すなわち、ＨＤＬＣ−ＣＰＵ３２が、多重分離部３３内のＲＸ１〜ＲＸ１０用の分離設定回路２４1〜２４10の回線の設定を、前記図１０（ｂ）、表４、図１１（ｂ）に示す回線入れ替えとなるように設定変更する（装置固有番号に対応する系統位置番号を変更する）ものである。
【００７５】
この設定変更について、ＨＤＬＣの系統位置番号順入れ替えを説明する図１３、図１４とともに詳述する。図１３において、ＨＤＬＣ  ＲＸ回路（図２の回路）（４１1）、（４１2）…（４１10）にて受信割り込みが発生して、受信データを（４２1）、（４２2）…（４２10）のように装置番号順に用意可能である。
【００７６】
図１２のＨＤＬＣ−ＣＰＵ３２からメインＣＰＵ３１に転送する際に、前述の系統位置番号順にデータ（（４３1）、（４３2）…（４３10））を整列させて送信する。
【００７７】
例えば図１４において、図１０（ａ）の端末増設前を説明すると、（４１1）から（４１4）までＨＤＬＣ  ＲＸ回路で受信して（４２1Ｂ）から（４２2Ｂ）まで受信バッファ処理される。その後ＨＤＬＣ−ＣＰＵ３２からメインＣＰＵ３１に転送するとき（４３1Ｃ）から（４３2Ｃ）の順でそのまま転送していた。
【００７８】
図１０（ｂ）の端末増設後となると、装置Ｎｏ．５が端末３（系統位置番号３の位置）に割り込んでくる。ＨＤＬＣデータは、装置固有番号順に入ってくるから、増設の端末装置Ｎｏ．５のＨＤＬＣ  ＲＸは（４１5）である。
【００７９】
したがって、（４１1）から（４１5）までＨＤＬＣ  ＲＸ回路で受信して、（４２1Ｂ）から（４２5Ｂ）まで受信バッファ処理されるが、その後、ＨＤＬＣ−ＣＰＵ３２からメインＣＰＵ３１に転送するとき、（４２5Ｂ）の情報は（４３5Ｃ）の位置へずらして、（４３1Ｃ）、（４３2Ｃ）、（４３5Ｃ）、（４３3Ｃ）、（４３4Ｃ）の順となり、転送することとなる。
【００８０】
上記のように本実施例５によれば、環線系統内の端末装置の増減があったときに、ハードウェアそのものを変更することなく、ソフトウェアの変更だけでハードウェア機能を変更することが容易に実施可能となる。
【符号の説明】
【００８１】
１、２…受信インターフェース
３…受信回線選択回路
４…受信タイミング回路
５…ＨＤＬＣ分離インターフェース
６…ＨＤＬＣコントローラ（ＨＤＬＣ  ＲＸ１〜ＲＸ１０）
１１…ＨＤＬＣ多重インターフェース
１２…ＨＤＬＣコントローラ（ＨＤＬＣ  ＴＸ１）
１４，１５…送信選択回路
１６，１７…送信インターフェース
２１…受信回路（ＴＸ１）
２２…多重設定回路
２３1〜２３10…受信回路
２４1〜２４10…分離設定回路
３１…メインＣＰＵ
３２…ＨＤＬＣ−ＣＰＵ
３３…多重分離部
１００…中央保護継電装置
２００…多重分離ロジックＩＣ
【図１】
2014176185.tif 000007
【図２】
2014176185.tif 000008
【図３】
2014176185.tif 000009
【図４】
2014176185.tif 000010
【図５】
2014176185.tif 000011
【図６】
2014176185.tif 000012
【図７】
2014176185.tif 000013
【図８】
2014176185.tif 000014
【図９】
2014176185.tif 000015
【図１０】
2014176185.tif 000016
【図１１】
2014176185.tif 000017
【図１２】
2014176185.tif 000018
【図１３】
2014176185.tif 000019
【図１４】
2014176185.tif 000020
【図１５】
2014176185.tif 000021